(57)【要約】【課題】メニュー再生あるいはサブピクチャ、オーディオ、アングル、チャプターなどの切替え画面を呼び出すことができる情報再生装置を提供する。【解決手段】あらかじめ設定されているサブピクチャメニュー（ＳＰＭ）再生とユーザ操作（ＵＯＰ）によるサブピクチャストリーム（ＳＰＳＴ）の再生選択機能の起動との優先度を判断し、ＳＰＭ再生の優先度が高い場合には、ＳＰＭ再生をＳＰＳＴの再生選択機能による切替え画面の表示よりも優先し、逆にＵＯＰによるＳＰＳＴの再生選択機能の起動の優先度が高い場合には、ＳＰＳＴの再生選択機能による切替え画面の表示をＳＰＭ再生よりも優先させる。【選択図】図６
2005317145.tif 000002
【特許請求の範囲】
【請求項１】
サブピクチャメニューの有無情報および再生中のユーザの操作制限情報が記録された情報記録媒体から記録情報を再生する情報再生装置において、
前記サブピクチャメニューまたはサブピクチャを切り替えるための切替え画面を呼び出すための共通の指令を入力させる指令入力部と、
前記サブピクチャメニューの有無情報および前記ユーザの操作制限情報をそれぞれ検出する検出部と、
前記サブピクチャメニューの再生と前記サブピクチャを切替えるためのサブピクチャ再生選択機能の起動との優先関係を設定する設定部と、
前記指令入力部より前記指令が入力されたとき、前記設定部により設定された前記優先関係と前記検出部の検出結果に基づいて、前記サブピクチャメニュー再生とサブピクチャの切替え画面の表示のうち優先させて実行させる処理を選択する処理選択部と
を具備することを特徴とする情報再生装置。
【請求項２】
停止状態であるか否かを検出する動作状態検出部をさらに具備し、
前記処理選択部は、前記動作状態検出部により停止状態であることが検出されたとき前記サブピクチャメニュー再生を優先し、停止状態以外であることが検出されたときサブピクチャの切替え画面の表示を優先させることを特徴とする請求項１に記載の情報再生装置。
【請求項３】
前記サブピクチャ再生選択機能は、前記サブピクチャを切り替えるための切替え画面を作成して再生画面上に表示する機能であることを特徴とする請求項１に記載の情報再生装置。
【請求項４】
サブピクチャメニューの有無情報および再生中のユーザの操作制限情報が記録された情報記録媒体から記録情報を再生する情報再生方法において、
前記サブピクチャメニューの再生と前記サブピクチャを切替えるためのサブピクチャ再生選択機能の起動との優先関係を設定しておき、
前記サブピクチャメニューまたはサブピクチャを切り替えるための切替え画面を呼び出すための共通の指令が入力されたとき、前記サブピクチャメニューの有無情報および前記ユーザの操作制限情報をそれぞれ検出し、この検出結果と、前記設定された優先関係に基づいて、前記サブピクチャメニュー再生と前記サブピクチャの切替え画面の表示のうち優先させて実行させる処理を選択する
ことを特徴とする情報再生方法。
【請求項５】
オーディオメニューの有無情報および再生中のユーザの操作制限情報が記録された情報記録媒体から記録情報を再生する情報再生装置において、
前記オーディオメニューまたはオーディオを切り替えるための切替え画面を呼び出すための共通の指令を入力させる指令入力部と、
前記オーディオメニューの有無情報および前記ユーザの操作制限情報をそれぞれ検出する検出部と、
前記オーディオメニューの再生と前記オーディオを切替えるためのオーディオ再生選択機能の起動との優先関係を設定する設定部と、
前記指令入力部より前記指令が入力されたとき、前記設定部により設定された前記優先関係と前記検出部の検出結果に基づいて、前記オーディオメニュー再生とオーディオの切替え画面の表示のうち優先させて実行させる処理を選択する処理選択部と
を具備することを特徴とする情報再生装置。
【請求項６】
停止状態であるか否かを検出する動作状態検出部をさらに具備し、
前記処理選択部は、前記動作状態検出部により停止状態であることが検出されたとき前記オーディオメニュー再生を優先し、停止状態以外であることが検出されたときオーディオの切替え画面の表示を優先させることを特徴とする請求項５に記載の情報再生装置。
【請求項７】
前記オーディオ再生選択機能は、前記オーディオを切り替えるための切替え画面を作成して再生画面上に表示する機能であることを特徴とする請求項５に記載の情報再生装置。
【請求項８】
オーディオメニューの有無情報および再生中のユーザの操作制限情報が記録された情報記録媒体から記録情報を再生する情報再生方法において、
前記オーディオメニューの再生と前記オーディオを切替えるためのオーディオ再生選択機能の起動との優先関係を設定しておき、
前記オーディオメニューまたはオーディオを切り替えるための切替え画面を呼び出すための共通の指令が入力されたとき、前記オーディオメニューの有無情報および前記ユーザの操作制限情報をそれぞれ検出し、この検出結果と、前記設定された優先関係に基づいて、前記オーディオメニュー再生とオーディオの切替え画面の表示のうち優先させて実行させる処理を選択する
ことを特徴とする情報再生方法。
【請求項９】
アングルメニューの有無情報および再生中のユーザの操作制限情報が記録された情報記録媒体から記録情報を再生する情報再生装置において、
前記アングルメニューまたはアングルを切り替えるための切替え画面を呼び出すための共通の指令を入力させる指令入力部と、
前記アングルメニューの有無情報および前記ユーザの操作制限情報をそれぞれ検出する検出部と、
前記アングルメニューの再生と前記アングルを切替えるためのアングル再生選択機能の起動との優先関係を設定する設定部と、
前記指令入力部より前記指令が入力されたとき、前記設定部により設定された前記優先関係と前記検出部の検出結果に基づいて、前記アングルメニュー再生とアングルの切替え画面の表示のうち優先させて実行させる処理を選択する処理選択部と
を具備することを特徴とする情報再生装置。
【請求項１０】
停止状態であるか否かを検出する動作状態検出部をさらに具備し、
前記処理選択部は、前記動作状態検出部により停止状態であることが検出されたとき前記アングルメニュー再生を優先し、停止状態以外であることが検出されたときアングルの切替え画面の表示を優先させることを特徴とする請求項９に記載の情報再生装置。
【請求項１１】
前記アングル再生選択機能は、前記アングルを切り替えるための切替え画面を作成して再生画面上に表示する機能であることを特徴とする請求項９に記載の情報再生装置。
【請求項１２】
アングルメニューの有無情報および再生中のユーザの操作制限情報が記録された情報記録媒体から記録情報を再生する情報再生方法において、
前記アングルメニューの再生と前記アングルを切替えるためのアングル再生選択機能の起動との優先関係を設定しておき、
前記アングルメニューまたはアングルを切り替えるための切替え画面を呼び出すための共通の指令が入力されたとき、前記アングルメニューの有無情報および前記ユーザの操作制限情報をそれぞれ検出し、この検出結果と、前記設定された優先関係に基づいて、前記アングルメニュー再生とアングルの切替え画面の表示のうち優先させて実行させる処理を選択する
ことを特徴とする情報再生方法。
【請求項１３】
チャプターメニューの有無情報および再生中のユーザの操作制限情報が記録された情報記録媒体から記録情報を再生する情報再生装置において、
前記チャプターメニューまたはチャプターを切り替えるための切替え画面を呼び出すための共通の指令を入力させる指令入力部と、
前記チャプターメニューの有無情報および前記ユーザの操作制限情報をそれぞれ検出する検出部と、
前記チャプターメニューの再生と前記チャプターを切替えるためのチャプター再生選択機能の起動との優先関係を設定する設定部と、
前記指令入力部より前記指令が入力されたとき、前記設定部により設定された前記優先関係と前記検出部の検出結果に基づいて、前記チャプターメニュー再生とチャプターの切替え画面の表示のうち優先させて実行させる処理を選択する処理選択部と
を具備することを特徴とする情報再生装置。
【請求項１４】
停止状態であるか否かを検出する動作状態検出部をさらに具備し、
前記処理選択部は、前記動作状態検出部により停止状態であることが検出されたとき前記チャプターメニュー再生を優先し、停止状態以外であることが検出されたときチャプターの切替え画面の表示を優先させることを特徴とする請求項１３に記載の情報再生装置。
【請求項１５】
前記チャプター再生選択機能は、前記チャプターを切り替えるための切替え画面を作成して再生画面上に表示する機能であることを特徴とする請求項１３に記載の情報再生装置。
【請求項１６】
チャプターメニューの有無情報および再生中のユーザの操作制限情報が記録された情報記録媒体から記録情報を再生する情報再生方法において、
前記チャプターメニューの再生と前記チャプターを切替えるためのチャプター再生選択機能の起動との優先関係を設定しておき、
前記チャプターメニューまたはチャプターを切り替えるための切替え画面を呼び出すための共通の指令が入力されたとき、前記チャプターメニューの有無情報および前記ユーザの操作制限情報をそれぞれ検出し、この検出結果と、前記設定された優先関係に基づいて、前記チャプターメニュー再生とチャプターの切替え画面の表示のうち優先させて実行させる処理を選択する
ことを特徴とする情報再生方法。
【発明の詳細な説明】
【技術分野】
【０００１】
本発明は、たとえばＤＶＤ（Digital Versatile Disc）などの情報記録媒体を再生する情報再生装置と情報再生方法に関する。
【背景技術】
【０００２】
ＤＶＤディスクには、ルートメニューやタイトルメニューなどのいくつかのメニューが記録されていることがある。メニューを呼び出して再生させるための操作がユーザによって行われると、現在の動作状態から呼び出し可能なすべてのメニューの一覧が表示される。この表示されたメニューの一覧からユーザによって意図するメニューが選択されると、その選択メニューの内容が表示されるので、ここではじめてユーザは選択メニューの中の所望の項目を選択できるようになっている（たとえば特許文献１を参照）。
【特許文献１】特開２００１−３１２８８０号公報（段落００５５−００７０、図１２−１３）
【発明の開示】
【発明が解決しようとする課題】
【０００３】
上記の従来例では、ユーザが意図するメニューを呼び出すまでに、メニューの一覧の呼び出しと、その一覧でのメニューの選択の、計２回の操作が必要である。また、メニューの一覧を、個々のメニューを縮小したものによって画面に同時に表示させる場合、メニューを縮小するための機能が必要となり、それだけファームウェアの規模が大きくなる。
【０００４】
本発明は、このような事情を鑑み、一回の操作で、メニュー再生あるいはサブピクチャ、オーディオ、アングル、チャプターなどの切替え画面を呼び出すことができ、操作性の向上を図ることのできる情報再生装置および情報再生方法を提供することを目的としている。
【課題を解決するための手段】
【０００５】
かかる目的を達成するために、本発明の情報再生装置は、サブピクチャメニューの有無情報および再生中のユーザの操作制限情報が記録された情報記録媒体から記録情報を再生する情報再生装置において、サブピクチャメニューまたはサブピクチャを切り替えるための切替え画面を呼び出すための共通の指令を入力させる指令入力部と、サブピクチャメニューの有無情報およびユーザの操作制限情報をそれぞれ検出する検出部と、サブピクチャメニューの再生とサブピクチャを切替えるためのサブピクチャ再生選択機能の起動との優先関係を設定する設定部と、指令入力部より指令が入力されたとき、設定部により設定された優先関係と検出部の検出結果に基づいて、サブピクチャメニュー再生とサブピクチャの切替え画面の表示のうち優先させて実行させる処理を選択する処理選択部とを具備することを特徴とする。
【０００６】
また、この発明の情報再生装置は、停止状態であるか否かを検出する動作状態検出部をさらに具備し、処理選択部は、動作状態検出部により停止状態であることが検出されたときサブピクチャメニュー再生を優先し、停止状態以外であることが検出されたときサブピクチャの切替え画面の表示を優先させるようにしてもよい。
【発明の効果】
【０００７】
本発明の情報再生装置および情報再生方法によれば、一回の操作で、メニュー再生あるいはサブピクチャ、オーディオ、アングル、チャプターなどの切替え画面を呼び出すことができ、操作性の向上を図ることができる。
【発明を実施するための最良の形態】
【０００８】
以下、図面を参照して本発明の実施の形態について説明する。
【０００９】
図１は、本発明の一実施形態にかかる情報再生装置により再生処理される情報記録媒体であるＤＶＤディスクの論理構造を示している。
【００１０】
このＤＶＤディスクは、一方の片面に１ボリュームのみ記録することができる記録媒体である。映像音声情報、再生管理情報などのＤＶＤビデオコンテンツはＤａｔａＡｒｅａに記述されており、ＤａｔａＡｒｅａはさらに、ビデオマネージャ（ＶＭＧ）とビデオタイトルセット（ＶＴＳ）とに区分される。ビデオタイトルセット（ＶＴＳ）は複数記録することができ、最大数は９９である。ビデオマネージャ（ＶＭＧ）は、ビデオマネージャ（ＶＭＧ）およびボリューム中の全ビデオタイトルセット（ＶＴＳ）を制御するための情報とデータからなり、１ボリューム中に１つだけ記録可能である。ビデオタイトルセット（ＶＴＳ）は、ビデオタイトルセットマネージャ（ＶＴＳＭ）および全タイトルを制御するための情報とデータからなり、１ボリューム中に最大９９個記録することができる。
【００１１】
図２に、ビデオマネージャメニュー（ＶＭＧＭ）およびビデオタイトルセットメニュー（ＶＴＳＭ）のデータ構造をそれぞれ示す。
【００１２】
ＶＭＧには、ボリューム内の全てのＶＴＳとＶＭＧＭを制御するための情報、およびＶＭＧＭデータが記録されている。ＶＧＭＩの制御情報の中にはボリューム内のタイトル情報を記述するタイトル・サーチポインタテーブル（ＴＴ＿ＳＲＰ）がタイトル別に記録されている。
【００１３】
さらに、ＴＴ＿ＳＲＰ内には、各タイトル中で再生されるデータに関する情報が記録されており、アングル数情報（ＡＧＬ＿Ｎｓ）１０１、ＰＴＴ（パート・オブ・タイトル）数情報（ＰＴＴ＿Ｎｓ）１０２がこれにあたる。
【００１４】
また、ＶＭＧＭと同様に、再生ＶＴＳ内にはタイトル（ＴＴ）データとＶＴＳＭデータおよび、そのための制御情報が記録されている。ＶＴＳＭのビデオオブジェクトセット（ＶＴＳＭ＿ＶＯＢＳ）はＶＴＳメニュー用のビデオオブジェクトを示すが、必須ではない。そこで再生可能なビデオオブジェクトの有無を調べる為にＶＴＳＭ内のＶＴＳＭのプログラムチェーン情報ユニット・テーブル（ＶＴＳＭ＿ＰＧＣＩ＿ＵＴ）の先頭アドレスをＶＴＳＭ＿ＰＧＣＩ＿ＵＴから取得し、さらにＶＴＳＭ＿ＰＧＣＩ＿ＵＴによってビデオタイトルセットメニューの有無情報（ＶＴＳＭ＿ＥＸＳＴ）を参照することによって、再生可能なＶＴＳＭ＿ＶＯＢＳの有無を検出することができる。
【００１５】
ＶＴＳＭ＿ＥＸＳＴには５種類のメニューの有無に関する情報が記録されており、ルートメニュー有無情報（ＲＯＯＴＭ＿ＥＸＳＴ）、サブピクチャメニュー有無情報（ＳＰＭ＿ＥＸＳＴ）１０８、オーディオメニュー有無情報（ＡＭ＿ＥＸＳＴ）１０９、アングルメニュー有無情報（ＡＧＬＭ＿ＥＸＳＴ）１１０、ＰＰＴ（パート・オブ・タイトル）メニュー有無情報（ＰＴＴＭ＿ＥＸＳＴ）１１１がこれにあたる。
【００１６】
また、ビデオタイトルセット情報（ＶＴＳＩ）には同一ＶＴＳに含まれる映像・音声データを制御するための情報も記述される。ＶＴＳ内には多重化された最大８個のオーディオストリームおよび最大３２個のサブピクチャを記録することが可能であるが、これらの全てに対する属性情報はオーディオストリーム属性情報（ＡＳＴ＿ＡＴＲ）１０３およびサブピクチャストリーム属性情報（ＳＰＳＴ＿ＡＴＲ）１０４として記録される。
【００１７】
ビデオオブジェクトの再生を制御する情報のひとつにＶＴＳのプログラムチェーン情報（ＶＴＳ＿ＰＧＣＩ）があるが、前記の最大８個のオーディオストリームおよび最大３２個のサブピクチャストリームのひとつひとつに対し、ストリーム再生の有効・無効の設定が可能であり、これらはそれぞれプログラムチェーンオーディオストリーム制御テーブル（ＰＧＣ＿ＡＳＴ＿ＣＴＬＴ）１０６およびプログラムチェーンサブピクチャストリーム制御テーブル（ＰＧＣ＿ＳＰＳＴ＿ＣＴＬＴ）１０７中で記述される。
【００１８】
ＰＧＣユーザ操作制御（ＰＧＣ＿ＵＯＰ＿ＣＴＬＴ）１０５はＰＧＣ再生中に禁止されるユーザ操作を記述したものである。ユーザ操作として定義された操作には２４通りあり、タイトル再生（Title_Play）やタイトルメニュー呼び出し（Menu_Call(Title)）、ＲＯＯＴメニュー呼び出し（Menu_Call(Root)）、サブピクチャメニュー呼び出し（Menu_Call(Sub-Picture)）、オーディオメニュー呼び出し（Menu_Call(Audio)）、アングルメニュー呼び出し（Menu_Call(Angle)）、ＰＴＴメニュー呼び出し（Menu_Call(PTT)）などが含まれる。前記２４通りのユーザ操作（ＵＯＰ）に対して個別に許可、不許可が指定出来るようになっている。
【００１９】
ビデオマネージャ（ＶＭＧ）には、ビデオマネージャメニュー（ＶＭＧＭ）および、そのための制御情報が記録されている。ビデオマネージャメニューのビデオオブジェクトセット（ＶＭＧＭ＿ＶＯＢＳ）はＶＭＧメニュー用のビデオオブジェクトを示すが、必須ではない。そこで再生可能なビデオオブジェクトの有無を調べるために、ビデオマネージャメニュー（ＶＭＧＭ）内のビデオマネージャメニューのプログラムチェーン情報ユニット・テーブル（ＶＭＧＭ＿ＰＧＣＩ＿ＵＴ）の先頭アドレスをビデオマネージャメニューのプログラムチェーン情報ユニット・テーブル（ＶＭＧＭ＿ＰＧＧＩ＿ＵＴ）から取得し、さらにビデオマネージャメニューのプログラムチェーン情報ユニット・テーブル（ＶＭＧＭ＿ＰＧＣＩ＿ＵＴ）内のビデオマネージャメニューの有無情報（ＶＭＧＭ＿ＥＸＳＴ）１０１によって再生可能なビデオマネージャメニューのプログラムチェーン（ＶＭＧＭ＿ＰＧＣ）の有無を検出することができる。
【００２０】
また、ビデオマネージャメニュー（ＶＭＧＭ）と同様に、再生ビデオタイトルセット（ＶＴＳ）内には、ビデオタイトルセットメニュー（ＶＴＳＭ）および、そのための制御情報が記録されている。ビデオタイトルセットメニューのビデオオブジェクトセット（ＶＴＳＭ＿ＶＯＢＳ）は、ＶＴＳメニュー用のビデオオブジェクトを示すが、必須ではない。そこで再生可能なビデオオブジェクトの有無を調べるために、ビデオタイトルセットメニュー（ＶＴＳＭ）内のビデオタイトルセットメニューのプログラムチェーン情報ユニット・テーブル（ＶＴＳＭ＿ＰＧＣＩ＿ＵＴ）の先頭アドレスをビデオタイトルセットメニューのプログラムチェーン情報ユニット・テーブル（ＶＴＳＭ＿ＰＧＧＩ＿ＵＴ）から取得し、さらにビデオタイトルセットメニューのプログラムチェーン情報ユニット・テーブル（ＶＴＳＭ＿ＰＧＣＩ＿ＵＴ）によってビデオタイトルセットメニューの有無情報（ＶＴＳＭ＿ＥＸＳＴ）１０２を参照することによって、再生可能なビデオタイトルセットメニューのプログラムチェーン（ＶＴＳＭ＿ＰＧＣ）の有無を検出することができる。
【００２１】
図３は、本発明の一実施形態にかかる情報再生装置の構成を示すブロック図である。同図に示すように、この情報再生装置は、光ディスクドライブなどのデータ読取装置１１、ＭＰＵ１２、各種情報検出・処理部１４、音声復号器１５、映像復号器１６、副映像復号器１７、ワークメモリ１８、ビデオ処理部１９、オーディオ用Ｄ／Ａ２０、ビデオ用Ｄ／Ａ２１、外部操作検知部２２、および画面作成部２３などを備えている。
【００２２】
ＭＰＵ（Micro Processing Unit）１２は、各種情報検知処理部１２Ａ、優先再生設定処理部１２Ｂ、ＯＳＤ（On Screen Display）表示処理部１２Ｃ、ドメイン検知処理部１２Ｄ、再生ストリーム変更処理部１２Ｅなどを備えている。
【００２３】
各種情報検知処理部１２Ａは、各種情報検出・処理部１４の情報に基づきビデオマネージャメニュー（ＶＭＧＭ）、ビデオタイトルセットメニュー（ＶＴＳＭ）を検知する。
【００２４】
優先再生設定処理部１２Ｂは、サブピクチャメニュー（ＳＰＭ）、オーディオメニュー（ＡＭ）、アングルメニュー（ＡＧＬＭ）、パート・オブ・タイトル（ＰＴＴ）などの各種メニューの再生と、サブピクチャ、オーディオ、アングル、チャプターを切替えるため切替え画面による再生選択機能の起動との間の優先関係をユーザによる選択を通じて設定する。
【００２５】
ＯＳＤ（On Screen Display）表示処理部１２Ｃは、各種情報検知処理部の１２Ｂの情報に基づき画面作成部２３を制御して、ＳＰ、ＡＭ、ＡＧＬ、ＰＴＴの切換え画面を作成し、再生画面の上に表示させる。
【００２６】
ドメイン検知処理部１２Ｄは、情報再生装置の再生対象であるドメインを検知する。再生の対象となるビデオオブジェクトのドメインには、ＶＭＧＭドメイン、ＶＴＳＭドメイン、タイトルドメイン、ファーストプレイドメインなどがある。
【００２７】
動作状態検知部１２Ｅは、情報再生装置の停止状態、再生状態などの動作状態を検知する。
【００２８】
次に、上記説明した情報再生装置によるＶＴＳＭ情報のデータ取得、およびストリーム変更処理について説明する。読み取り装置（光ディスクドライブなど）１１は、ＭＰＵ１２からの指示に従って、情報記録媒体（ＤＶＤディスク）１３上のＤａｔａＡｒｅａ中の指定された位置のデータを取得する。取得されたデータは情報検出・処理部１４によって音声、映像、副映像の属性ごとに分離され、それぞれ音声復号器１５、映像復号器１６、副映像復号器１７、もしくはワークメモリ１８に転送される。
【００２９】
ここで、図２に示されたＶＴＳＩなどの再生管理情報は、一旦上記ワークメモリ１８に記録される。またＭＰＵ１２は上記管理情報を参照することができる。ＭＰＵ１２は上記管理情報から図２に示すＶＴＳＭ＿ＥＸＳＴ以下のＳＰＭ＿ＥＸＳＴ１０８、ＡＭ＿ＥＸＳＴ１０９、ＡＧＬＭ＿ＥＸＳＴ１１０およびＰＴＴＭ＿ＥＸＳＴ１１１を参照し、これによってＶＴＳＭ情報の有無を知ることができる。
【００３０】
また、ユーザはリモコンなどの外部操作装置２４を介して、ＭＰＵ１２に情報を伝達することができる。
【００３１】
次に、外部操作装置２４のメニュー呼び出し機能の実装例を説明する。
【００３２】
図４は、外部操作装置２４に、ＳＰ  ＭＥＮＵ２５とＳＰ  ＳＥＬＥＣＴ２６の各ボタンを設けておき、ユーザがＶＴＳＭのサブピクチャメニュー（ＳＰＭ）またはサブピクチャストリーム（ＳＰＳＴ）の各々の変更機能を呼び出す場合に、これらのボタンを選択的に用いるようにした例である。音声、アングル、チャプターに関してもサブピクチャと同様であり、音声についてはＡＵＤＩＯ  ＭＥＮＵ２７とＡＵＤＩＯ  ＳＥＬＥＣＴ２８、アングルについてはＡＮＧＬＥ  ＭＥＮＵ２９とＡＮＧＬＥ  ＳＥＬＥＣＴ３０、パート・オブ・タイトル（チャプター）についてはＰＴＴ  ＭＥＮＵ３１とＰＴＴ  ＳＥＬＥＣＴ３２の、各々２つのボタンが用意されている。
【００３３】
しかしこの例では、外部操作装置２４に、サブピクチャ、音声、アングル、パート・オブ・タイトル（チャプター）ごとに２個の類似した機能を持つボタンが存在することで、ユーザが混乱しやすい。またＰＧＣ＿ＵＯＰ＿ＣＴＬＴ１０５などの切替え操作禁止制限が存在したり、ＳＰＭが存在しない場合などにおいては、２個のボタンを使用せざるを得なくなることがあり、これに関してもユーザが混乱しやすい。
【００３４】
これに対し、図５に示す外部操作装置２４においては、図４のＳＰ  ＭＥＮＵ２５、ＳＰ  ＳＥＬＥＣＴ２６の２個のボタンに代えて１個の自動メニュー判定（ＳＰ  ＡＵＴＯ  ＭＥＮＵ）ボタン３４が設けられているとともに、音声、アングル、パート・オブ・タイトル（チャプター）に関しても同様に、図４のＡＵＤＩＯ  ＭＥＮＵ２７とＡＵＤＩＯ  ＳＥＬＥＣＴ２８の２個のボタンに代えて１個の自動メニュー判定（ＡＵＤＩＯ  ＡＵＴＯ  ＭＥＮＵ）ボタン３３が、図４のＡＮＧＬＥ  ＭＥＮＵ２９とＡＮＧＬＥ  ＳＥＬＥＣＴ３０の２個のボタンに代えて１個の自動メニュー判定（ＡＮＧＬＥ  ＡＵＴＯ  ＭＥＮＵ）ボタン３５が、そして図４のＰＴＴ  ＭＥＮＵ３１とＰＴＴ  ＳＥＬＥＣＴ３２の２個のボタンに代えて１個の自動メニュー判定（ＰＴＴ  ＡＵＴＯ  ＭＥＮＵ）ボタン３６がそれぞれ設けられている。
【００３５】
次に、本実施形態の情報再生装置の動作を説明する。
【００３６】
図６は、本実施形態の情報再生装置でのサブピクチャストリームの選択処理を示すフローチャートである。
【００３７】
ユーザによって、たとえば図５に示す外部操作装置２４のＳＰ  ＡＵＴＯ  ＭＥＮＵボタン３４が押されると（ステップＳ１０１）、優先再生設定処理部１２Ｂによって設定されているサブピクチャメニュー（ＳＰＭ）の再生とＵＯＰによるＳＰＳＴの再生選択機能の起動との優先度の関係が判断される（ステップＳ１０２）。ＳＰＭ再生の優先度がＵＯＰによるＳＰＳＴの再生選択機能の起動よりも高い場合は、ＳＰＭ＿ＥＸＳＴ１０８を検出し（ステップＳ１０３）、ＳＰＭが有る場合（ステップＳ１０４のＹＥＳ）はＳＰＭの再生（ステップＳ１０５）を実行する。ＳＰＭが無い場合は、変更可能なＳＰが存在するかどうかをＰＧＣ＿ＳＰＳＴ＿ＣＴＬＴ１０７に基づいて検出し（ステップＳ１０６）、またユーザ操作によるＳＰの変更が許可されているかどうかを、再生中のＰＧＣ＿ＵＯＰ＿ＣＴＬＴ１０５に基づいて検出する（Ｓ１０６）。変更可能である場合（ステップＳ１０８のＹＥＳ）は、再生選択機能の起動により画面作成部２３で作成されたＳＰＳＴの切替え画面（ＯＳＤ画面）が表示される（ステップＳ１０９）。ユーザ操作によるＳＰの変更が許可されていない場合もしくは単一のＳＰＳＴしか記録されていない場合は（ステップＳ１０８のＮＯ）、操作が無効となる（ステップＳ１１０）。
【００３８】
また、ステップＳ１０２でＵＯＰによるＳＰＳＴの再生選択機能の起動の優先度がＳＰＭ再生よりも高いことが判断された場合は、変更可能なＳＰが存在するかをＰＧＣ＿ＳＰＳＴ＿ＣＴＬＴ１０７に基づいて検出し（ステップＳ１１１）、またユーザによるＳＰの変更が許可されているかどうかを再生中のＰＧＣ＿ＵＯＰ＿ＣＴＬＴ１０５に基づいて検出する（ステップＳ１１２）。ユーザによるＳＰの変更が許可されている場合は（ステップＳ１１３のＹＥＳ）、再生選択機能の起動により画面作成部２３で作成されたＳＰＳＴの切替え画面（ＯＳＤ画面）が表示される（ステップＳ１１４）。ユーザによるＳＰの変更が許可されてなく且つ複数のＳＰＳＴが記録されている場合は（ステップＳ１１３のＮＯ）、次にＳＰＭ＿ＥＸＳＴ１０８を検出して（ステップＳ１１５）、ＳＰＭの有無を判定し（ステップＳ１１６）、ＳＰＭが有る場合はＳＰＭの再生を実行する（ステップＳ１１７）。ＳＰＭが無い場合は操作が無効となる（ステップＳ１１８）。
【００３９】
このように、設定されているＳＰＭの再生とＵＯＰによるＳＰＳＴの再生選択機能の起動との優先度を判断し、ＳＰＭ再生の優先度が高い場合には、ＳＰＭの再生をＳＰＳＴ切替え画面の表示よりも優先し、逆にＵＯＰによるＳＰＳＴ再生選択機能の起動の優先度が高い場合には、ＳＰＳＴの切替え画面の表示をＳＰＭ再生よりも優先させる。これにより、一回の操作で、ＳＰＭの再生またはＳＰＳＴの切替え画面の表示を実行することができ、ユーザに操作の負担を軽減できる。
【００４０】
図７は、本実施形態の情報再生装置でのオーディオストリームの選択処理を示すフローチャートである。
【００４１】
ユーザによって、たとえば図５に示す外部操作装置２４のＡＵＤＩＯ  ＡＵＴＯ  ＭＥＮＵボタン３３が押されると（ステップＳ１２１）、優先再生設定処理部１２Ｂによって設定されているオーディオメニュー（ＡＭ）の再生とＵＯＰによるＡＳＴ再生選択機能の起動との優先度を判断する（ステップＳ１２２）。ＡＭ再生の優先度がＵＯＰによるＡＳＴ再生選択機能の起動よりも高い場合は、ＡＭ＿ＥＸＳＴ１０９を検出し（ステップＳ１２３）、ＡＭが有る場合（ステップＳ１２４のＹＥＳ）はＡＭの再生（ステップＳ１２５）を実行する。ＡＭが無い場合は、変更可能なＡＭが存在するかどうかをＰＧＣ＿ＡＳＴ＿ＣＴＬＴ１０６に基づいて検出し（ステップＳ１２６）、またユーザ操作によるＡＭの変更が許可されているかどうかを、再生中のＰＧＣ＿ＵＯＰ＿ＣＴＬＴ１０５に基づいて検出する（Ｓ１２７）。変更可能である場合（ステップＳ１２８のＹＥＳ）は、ＡＳＴ再生選択機能の起動により画面作成部２３で作成されたＡＳＴの切替え画面（ＯＳＤ画面）が表示される（ステップＳ１２９）。ユーザ操作によるＡＭの変更が許可されていない場合もしくは単一のＡＳＴしか記録されていない場合は（ステップＳ１２８のＮＯ）、操作が無効となる（ステップＳ１３０）。
【００４２】
また、ステップＳ１２２でＵＯＰによるＡＳＴ再生選択機能の起動の優先度がＡＭ再生よりも高いことが判断された場合は、変更可能なＡＭが存在するかをＰＧＣ＿ＡＳＴ＿ＣＴＬＴ１０６に基づいて検出し（ステップＳ１３１）、またユーザによるＡＭの変更が許可されているかどうかを再生中のＰＧＣ＿ＵＯＰ＿ＣＴＬＴ１０５に基づいて検出する（ステップＳ１３２）。ユーザによるＡＭの変更が許可されている場合は（ステップＳ１３３のＹＥＳ）、ＡＳＴ再生選択機能の起動により画面作成部２３で作成されたＡＳＴ切替え画面（ＯＳＤ画面）が表示される（ステップＳ１３４）。ユーザによるＡＭの変更が許可されてなく且つ複数のＡＳＴが記録されている場合は（ステップＳ１３３のＮＯ）、次にＡＭ＿ＥＸＳＴ１０９を検出して（ステップＳ１３５）、ＡＭの有無を判定し（ステップＳ１３６）、ＡＭが有る場合はＡＭの再生を実行する（ステップＳ１３７）。ＡＭが無い場合は操作が無効となる（ステップＳ１３８）。
【００４３】
このように、設定されているＡＭの再生とＵＯＰによるＡＳＴ再生選択機能の起動との優先度を判断し、ＡＭ再生の優先度が高い場合には、ＡＭの再生をＡＳＴの切替え画面の表示よりも優先し、逆にＵＯＰによるＡＳＴ再生選択機能の起動の優先度が高い場合には、ＡＳＴの切替え画面の表示をＡＭ再生よりも優先させる。これにより、一回の操作で、ＡＭの再生またはＡＳＴの切替え画面の表示を実行することができ、ユーザに操作の負担を軽減できる。
【００４４】
図８は、本実施形態の情報再生装置でのアングルの選択処理を示すフローチャートである。
【００４５】
ユーザによって、たとえば図５に示す外部操作装置２４のＡＮＧＬＥ  ＡＵＴＯ  ＭＥＮＵボタン３５が押されると（ステップＳ１４１）、優先再生設定処理部１２Ｂによって設定されているアングルメニュー（ＡＧＬＭ）の再生とＵＯＰによるＡＧＬ再生選択機能の起動との優先度を判断する（ステップＳ１４２）。ＡＧＬＭ再生の優先度がＵＯＰによるＡＧＬ再生選択機能の起動よりも高い場合は、ＡＧＬＭ＿ＥＸＳＴ１１０を検出し（ステップＳ１４３）、ＡＧＬＭが有る場合（ステップＳ１４４のＹＥＳ）はＡＧＬＭの再生（ステップＳ１４５）を実行する。ＡＧＬＭが無い場合は、変更可能なＡＧＬが存在するかどうかをＶＭＧＩのＡＧＬ＿Ｎｓ１０１に基づいて検出し（ステップＳ１４６）、またユーザ操作によるＡＧＬの変更が許可されているかどうかを、再生中のＰＧＣ＿ＵＯＰ＿ＣＴＬＴ１０５に基づいて検出する（Ｓ１４７）。変更可能である場合（ステップＳ１４８のＹＥＳ）は、ＡＧＬ再生選択機能の起動により画面作成部２３で作成されたＡＧＬ切替え画面（ＯＳＤ画面）が表示される（ステップＳ１４９）。ユーザ操作によるＡＧＬの変更が許可されていない場合もしくは単一のＡＧＬＭしか記録されていない場合は（ステップＳ１４８のＮＯ）、操作が無効となる（ステップＳ１５０）。
【００４６】
また、ステップＳ１４２でＵＯＰによるＡＧＬ再生選択機能の起動の優先度がＡＧＬＭ再生よりも高いことが判断された場合は、変更可能なＡＧＬＭが存在するかをＡＧＬ＿Ｎｓ１０１に基づいて検出し（ステップＳ１５１）、またユーザによるＡＧＬの変更が許可されているかどうかを再生中のＰＧＣ＿ＵＯＰ＿ＣＴＬＴ１０５に基づいて検出する（ステップＳ１５２）。ユーザによるＡＧＬの変更が許可されている場合は（ステップＳ１５３のＹＥＳ）、ＡＧＬ再生選択機能の起動により画面作成部２３で作成されたＡＧＬ切替え画面（ＯＳＤ画面）が表示される（ステップＳ１５４）。ユーザによるＡＧＬの変更が許可されてなく且つ複数のＡＧＬが記録されている場合は（ステップＳ１５３のＮＯ）、次にＡＧＬＭ＿ＥＸＳＴ１１０を検出して（ステップＳ１５５）、ＡＧＬＭの有無を判定し（ステップＳ１５６）、ＡＧＬＭが有る場合はＡＧＬＭの再生を実行する（ステップＳ１５７）。ＡＧＬＭが無い場合は操作が無効となる（ステップＳ１５８）。
【００４７】
このように、設定されているＡＧＬＭの再生とＵＯＰによるＡＧＬ再生選択機能の起動との優先度を判断し、ＡＧＬＭ再生の優先度が高い場合には、ＡＧＬＭの再生をＡＧＬ切替え画面の表示よりも優先し、逆にＵＯＰによるＡＧＬ再生選択機能の起動の優先度が高い場合には、ＡＧＬ切替え画面の表示をＡＧＬＭ再生よりも優先させる。これにより、一回の操作で、ＡＧＬＭの再生またはＡＧＬ切替え画面の表示を実行することができ、ユーザに操作の負担を軽減できる。
【００４８】
図９は、本実施形態の情報再生装置でのパート・オブ・タイトル（チャプター）の選択処理を示すフローチャートである。
【００４９】
ユーザによって、たとえば図５に示す外部操作装置２４のＰＴＴ  ＡＵＴＯ  ＭＥＮＵボタン３６が押されると（ステップＳ１６１）、優先再生設定処理部１２Ｂによって設定されているパート・オブ・タイトルメニュー（ＰＴＴＭ）の再生とＵＯＰによるチャプター再生選択機能の起動との優先度を判断する（ステップＳ１６２）。ＰＴＴＭ再生の優先度がＵＯＰによるチャプター再生選択機能の起動よりも高い場合は、ＰＴＴＭ＿ＥＸＳＴ１１１を検出し（ステップＳ１６３）、ＰＴＴＭが有る場合（ステップＳ１６４のＹＥＳ）はＰＴＴＭの再生（ステップＳ１６５）を実行する。ＰＴＴＭが無い場合は、変更可能なＰＴＴが存在するかどうかをＰＴＴ＿Ｎｓ１０２に基づいて検出し（ステップＳ１６６）、またユーザ操作によるＰＴＴの変更が許可されているかどうかを、再生中のＰＧＣ＿ＵＯＰ＿ＣＴＬＴ１０５に基づいて検出する（Ｓ１６７）。変更可能である場合（ステップＳ１６８のＹＥＳ）は、チャプター再生選択機能の起動により画面作成部２３で作成されたＰＴＴ切替え画面（ＯＳＤ画面）が表示される（ステップＳ１６９）。ユーザ操作によるＰＴＴの変更が許可されていない場合もしくは単一のＰＴＴＭしか記録されていない場合は（ステップＳ１６８のＮＯ）、操作が無効となる（ステップＳ１７０）。
【００５０】
また、ステップＳ１６２でＵＯＰによるチャプター再生選択機能の起動の優先度がＰＴＴＭ再生よりも高いことが判断された場合は、変更可能なＰＴＴＭが存在するかをＰＴＴ＿Ｎｓ１０２に基づいて検出し（ステップＳ１７１）、またユーザによるＰＴＴの変更が許可されているかどうかを再生中のＰＧＣ＿ＵＯＰ＿ＣＴＬＴ１０５に基づいて検出する（ステップＳ１７２）。ユーザによるＰＴＴの変更が許可されている場合は（ステップＳ１７３のＹＥＳ）、チャプター再生選択機能の起動により画面作成部２３で作成されたＰＴＴ切替え画面（ＯＳＤ画面）が表示される（ステップＳ１７４）。ユーザによるＰＴＴの変更が許可されてなく且つ複数のＰＴＴが記録されている場合は（ステップＳ１７３のＮＯ）、次にＰＴＴＭ＿ＥＸＳＴ１１１を検出して（ステップＳ１７５）、ＰＴＴＭの有無を判定し（ステップＳ１７６）、ＰＴＴＭが有る場合はＰＴＴＭの再生を実行する（ステップＳ１７７）。ＰＴＴＭが無い場合は操作が無効となる（ステップＳ１７８）。
【００５１】
このように、設定されているＰＴＴＭの再生とＵＯＰによるチャプター再生選択機能の起動との優先度を判断し、ＰＴＴＭ再生の優先度が高い場合には、ＰＴＴＭの再生をＰＴＴ切替え画面の表示よりも優先し、逆にＵＯＰによるチャプター再生選択機能の起動の優先度が高い場合には、ＰＴＴ切替え画面の表示をＰＴＴＭ再生よりも優先させる。これにより、一回の操作で、ＰＴＴＭの再生またはＰＴＴ切替え画面の表示の起動を実行することができ、ユーザに操作の負担を軽減できる。
【００５２】
図１０は、本実施形態の情報再生装置の動作状態により優先表示を切替える場合のサブピクチャストリームの選択処理を示すフローチャートである。
【００５３】
ユーザによって、たとえば図５に示す外部操作装置２４のＳＰ  ＡＵＴＯ  ＭＥＮＵボタン３４が押されると（ステップＳ１０１）、情報再生装置の動作状態を検出する（ステップＳ１１９）。停止状態の場合はＳＰＭ＿ＥＸＳＴ１０８を検出し（ステップＳ１０３）、ＳＰＭが有る場合は（ステップＳ１０４のＹＥＳ）、ＳＰＭの再生（ステップＳ１０５）を実行する。ＳＰＭが無い場合は、変更可能なＳＰが存在するかどうかをＰＧＣ＿ＳＰＳＴ＿ＣＴＬＴ１０７に基づいて検出し（ステップＳ１０６）、またユーザ操作によるＳＰの変更が許可されているかどうかを、再生中のＰＧＣ＿ＵＯＰ＿ＣＴＬＴ１０５に基づいて検出する（Ｓ１０６）。変更可能である場合（ステップＳ１０８のＹＥＳ）は、ＳＰＳＴ再生選択機能の起動により画面作成部２３で作成されたＳＰＳＴの切替え画面（ＯＳＤ画面）が表示される（ステップＳ１０９）。ユーザ操作によるＳＰの変更が許可されていない場合もしくは単一のＳＰＳＴしか記録されていない場合は（ステップＳ１０８のＮＯ）、操作が無効となる（ステップＳ１１０）。
【００５４】
また、ステップＳ１１９で停止状態ではないことが判断された場合は、変更可能なＳＰが存在するかをＰＧＣ＿ＳＰＳＴ＿ＣＴＬＴ１０７に基づいて検出し（ステップＳ１１１）、またユーザによるＳＰの変更が許可されているかどうかを再生中のＰＧＣ＿ＵＯＰ＿ＣＴＬＴ１０５に基づいて検出する（ステップＳ１１２）。ユーザによるＳＰの変更が許可されている場合は（ステップＳ１１３のＹＥＳ）、ＳＰＳＴ再生選択機能の起動により画面作成部２３で作成されたＳＰＳＴの切替え画面（ＯＳＤ画面）が表示される（ステップＳ１１４）。ユーザによるＳＰの変更が許可されてなく且つ複数のＳＰＳＴが記録されている場合は（ステップＳ１１３のＮＯ）、次にＳＰＭ＿ＥＸＳＴ１０８を検出して（ステップＳ１１５）、ＳＰＭの有無を判定し（ステップＳ１１６）、ＳＰＭが有る場合はＳＰＭの再生を実行する（ステップＳ１１７）。ＳＰＭが無い場合は操作が無効となる（ステップＳ１１８）。
【００５５】
なお、この情報再生装置の動作状態に基づく優先表示の切替えは、サブピクチャストリームの選択への適用に限定されず、同様に、オーディオストリームの選択、アングルの選択、パート・オブ・タイトルの選択にも適用可能である。
【００５６】
図１１は、本実施形態の情報再生装置でのサブピクチャストリーム（ＳＰＳＴ）の切替え画面（ＯＳＤ画面）の例を示している。
【００５７】
このＳＰＳＴの切替え画面には、３つのＳＰに関する情報（言語など）が表示され、ユーザはたとえば外部操作装置２４を操作するなどして、所望のＳＰを選択することができる。ＯＳＤ表示処理部１２Ｃは、このようなＳＰＳＴの切替え画面を、たとえば、ＳＰＳＴ＿ＡＴＲ１０４、ＰＧＣ＿ＳＰＳＴ＿ＣＴＬＴ１０７を用いることによって画面作成部２３を通して作成する。
【００５８】
図１２は、本実施形態の情報再生装置でのオーディオストリーム（ＡＳＴ）の切替え画面（ＯＳＤ画面）の例を示している。
【００５９】
このＡＳＴの切替え画面には、２つのＡＳＴに関する情報（言語など）が表示され、ユーザはたとえば外部操作装置２４を操作するなどして、所望のＡＳＴを選択することができる。ＯＳＤ表示処理部１２Ｃは、このようなＡＳＴの切替え画面を、たとえば、ＡＳＴ＿ＡＴＲ１０３、ＰＧＣ＿ＡＳＴ＿ＣＴＬＴ１０６を用いることによって画面作成部２３を通して作成する。
【００６０】
図１３は、本実施形態の情報再生装置でのアングル（ＡＧＬ）の切替え画面（ＯＳＤ画面）の例を示している。このＡＧＬの切替え画面には、５つのＡＧＬに関する情報が表示され、ユーザはたとえば外部操作装置２４を操作するなどして、所望のＡＧＬを選択することができる。ＯＳＤ表示処理部１２Ｃは、このようなＡＧＬの切替え画面を、たとえば、ＶＭＧＩのＡＧＬ＿Ｎｓ１０１を用いることによって画面作成部２３を通して作成する。
【００６１】
図１４は、本実施形態の情報再生装置でのパート・オブ・タイトル（ＰＴＴ）の切替え画面（ＯＳＤ画面）の例を示している。このＰＴＴの切替え画面には、３つのＰＴＴに関する情報が表示され、ユーザはたとえば外部操作装置２４を操作するなどして、所望のＰＴＴを選択することができる。ＯＳＤ表示処理部１２Ｃは、このようなＰＴＴの切替え画面を、たとえば、ＶＭＧＩのＰＴＴ＿Ｎｓ１０２を用いることによって画面作成部２３を通して作成する。
【００６２】
次に、サブピクチャメニュー（ＳＰＭ）、オーディオメニュー（ＡＭ）、アングルメニュー（ＡＧＬＭ）、パート・オブ・タイトル（ＰＴＴ）などの各種メニューの再生とユーザ操作（ＵＯＰ）による操作制限との間での優先順位を設定する方法を説明する。
【００６３】
図１５は、この優先順位の設定画面の例を示す図である。
【００６４】
情報再生装置の様々な機能の初期設定を行うメニュー４２には「再生優先度設定」の項目が含まれている。ユーザによってメニュー４２の中から「再生優先度設定」が選択されると、優先度を設定する対象（サブピクチャ、オーディオ、アングル、チャプター）の各項目からなる第２階層のメニュー４３が表示される。さらにユーザによってその第２階層のメニュー４３から任意の対象が選択されることで、メニュー再生を優先するか切替え画面表示を優先するかを選択するための第３階層のメニュー４４が現われ、この第３階層のメニュー４４でユーザによって優先したい項目の選択が行われる。これによって、メニュー再生を優先することが選択された場合は、メニュー再生の優先度がユーザ操作（ＵＯＰ）による操作制限よりも高いものと設定され、逆に切替え画面表示を優先することが選択された場合には、ユーザ操作（ＵＯＰ）による操作制限の優先度がメニュー再生よりも高いものと設定される。
【００６５】
図１６は、任意のタイトル情報を閲覧可能で且つ、選択可能なメニュー画面の例である。
【００６６】
このメニュー画面には、情報記録媒体に記録された全てのタイトルのコンテンツに関する情報が表示される。個々のタイトルのコンテンツに関する情報は、矩形領域４６内に配置された画像情報４５と文字情報４７とで構成されている。各々のタイトルに対応する矩形領域４６は画面に上下に並べて表示配置されている。このメニュー画面で任意のタイトルを選択する場合には、たとえば、図１７に示すような外部操作装置５０が用いられる。すなわち、この外部操作装置５０のアップキー４９とダウンキー５０を操作することで、所望のタイトルの矩形領域４６にフォーカス４８を移動させ、選択キーを押せばよい。
【００６７】
矩形領域４６に表示させる画像４５には、たとえば、実際に再生の対象となるビデオデータの先頭から所定時間経過した時点のフレームを採用し、メニュー画面に静止画として表示させる。もしくは実際に動画として再生してもよい。文字情報４７には、各タイトルの属性情報の内容が表示される。ここに表示されるアングル数、チャプタ−数に関する情報は、図１８に示すＶＭＧＩ（ビデオマネージャ情報）中のＴＴ＿ＳＲＰＴ（タイトルサーチポインタ情報）中の各タイトル用のＴＴ＿ＳＲＰ（タイトル用サーチポインタ）中のアングル数を示すＡＧＬ＿Ｎｓ１１０およびチャプター数を示すＰＴＴ＿Ｎｓ１１１に記録されている。
【００６８】
なお、本発明は、上述の図示例にのみ限定されるものではなく、本発明の要旨を逸脱しない範囲内において種々変更を加え得ることは勿論である。
【００６９】
上記した実施の形態においては、情報再生装置として説明したが、情報記録再生装置にも適用することができる。
【図面の簡単な説明】
【００７０】
【図１】ＤＶＤディスクの論理構造を示す図である。
【図２】ビデオマネージャメニュー（ＶＭＧＭ）、ビデオタイトルセットメニュー（ＶＴＳＭ）のデータ構造を示す図である。
【図３】本発明の一実施形態にかかる情報再生装置の全体構成を示す図である。
【図４】外部操作装置のメニュー呼び出し機能の実装例を示す図である。
【図５】外部操作装置のメニュー呼び出し機能の他の実装例を示す図である。
【図６】本実施形態の情報再生装置でのサブピクチャストリームの選択処理を示すフローチャートである。
【図７】本実施形態の情報再生装置でのオーディオストリームの選択処理を示すフローチャートである。
【図８】本実施形態の情報再生装置でのアングルの選択処理を示すフローチャートである。
【図９】本実施形態の情報再生装置でのパート・オブ・タイトル（チャプター）の選択処理を示すフローチャートである。
【図１０】本実施形態の情報再生装置での実行中のドメイン（動作状態）により優先表示を切替える場合のサブピクチャストリームの選択処理を示すフローチャートである。
【図１１】本実施形態の情報再生装置でのサブピクチャストリーム（ＳＰＳＴ）の切替え画面（ＯＳＤ画面）の例を示す図である。
【図１２】本実施形態の情報再生装置でのオーディオストリーム（ＡＳＴ）の切替え画面（ＯＳＤ画面）の例を示す図である。
【図１３】本実施形態の情報再生装置でのアングル（ＡＧＬ）の切替え画面（ＯＳＤ画面）の例を示す図である。
【図１４】本実施形態の情報再生装置でのパート・オブ・タイトル（ＰＴＴ）の切替え画面（ＯＳＤ画面）の例を示す図である。
【図１５】優先順位の設定画面の例を示す図である。
【図１６】任意のタイトル情報を閲覧可能で且つ選択可能なメニュー画面の例を示す図である。
【図１７】図１６のメニュー画面を操作する外部操作装置を示す図である。
【図１８】ＶＭＧＩ（ビデオマネージャ情報）の構成を示す図である。
【符号の説明】
【００７１】
１０…情報再生装置、１１…データ読み取り装置、１２…ＭＰＵ、１２Ａ…各種情報検知処理部、１２Ｂ…優先再生設定処理部、１２Ｃ…ＯＳＤ表示データ作成部、１２Ｄ…ドメイン検知処理部、１２Ｅ…再生ストリーム変更処理部、１３…情報記録媒体（ＤＶＤディスク）、１４…各種情報検出・処理部、１５…音声復号器、１６…映像復号器、１７…副映像復号器、１８…ワークメモリ、１９…ビデオ処理部、２０…オーディオ用Ｄ／Ａ、２１…ビデオ用Ｄ／Ａ、２２…外部操作検知部、２３…画面作成部、２４…外部操作装置、２５…ＳＰ  ＭＥＮＵボタン、２６…ＳＰ  ＳＥＬＥＣＴボタン、２７…ＡＵＤＩＯ  ＭＥＮＵボタン、２８…ＡＵＤＩＯ  ＳＥＬＥＣＴボタン、２９…ＡＮＧＬＥ  ＭＥＮＵボタン、３０…ＡＮＧＬＥ  ＳＥＬＥＣＴボタン、３１…ＰＴＴ  ＭＥＮＵボタン、３２…ＰＴＴ  ＳＥＬＥＣＴボタン、３３…ＡＵＤＩＯ  ＡＵＴＯ  ＭＥＮＵボタン、３４…ＳＰ  ＡＵＴＯ  ＭＥＮＵボタン、３５…ＡＮＧＬＥ  ＡＵＴＯ  ＭＥＮＵボタン、３６…ＰＴＴ  ＡＵＴＯ  ＭＥＮＵボタン、１０１…アングル数情報（ＡＧＬ＿Ｎｓ）、１０２…ＰＴＴ（パート・オブ・タイトル）数情報（ＰＴＴ＿Ｎｓ）、１０３…オーディオストリーム属性情報（ＡＳＴ＿ＡＴＲ）、１０４…サブピクチャストリーム属性情報（ＳＰＳＴ＿ＡＴＲ）、１０５…ユーザ操作制御情報（ＰＧＣ＿ＵＯＰ＿ＣＴＬＴ）、１０６…オーディオストリーム制御テーブル（ＰＧＣ＿ＡＳＴ＿ＣＴＬＴ）、１０７…ＰＧＣ内サブピクチャストリーム制御テーブル（ＰＧＣ＿ＳＰＳＴ＿ＣＴＬＴ）、１０８…サブピクチャメニューの有無情報（ＳＰＭ＿ＥＸＳＴ）、１０９…オーディオメニューの有無情報（ＡＭ＿ＥＸＳＴ）、１１０…アングルメニューの有無情報（ＡＧＬＭ＿ＥＸＳＴ）、１１１…ＰＴＴメニューの有無情報（ＰＴＴＭ＿ＥＸＳＴ）。
【図１】
2005317145.tif 000003
【図２】
2005317145.tif 000004
【図３】
2005317145.tif 000005
【図４】
2005317145.tif 000006
【図５】
2005317145.tif 000007
【図６】
2005317145.tif 000008
【図７】
2005317145.tif 000009
【図８】
2005317145.tif 000010
【図９】
2005317145.tif 000011
【図１０】
2005317145.tif 000012
【図１１】
2005317145.tif 000013
【図１２】
2005317145.tif 000014
【図１３】
2005317145.tif 000015
【図１４】
2005317145.tif 000016
【図１５】
2005317145.tif 000017
【図１６】
2005317145.tif 000018
【図１７】
2005317145.tif 000019
【図１８】
2005317145.tif 000020